(57)【要約】      （修正有）【課題】容易に視線誘導標を取着することができる防護柵を提供する。【解決手段】継手金具２は、支柱１の側面に取付けられる支持具２１の受け部２２に横ビーム３が支持されると共に、前記受け部２２と横ビーム３とに取付ボルト４が締着されたものであって、前記取付ボルト４に視線誘導標５を取着するようにすれば、取付ボルト４により、視線誘導標５を継手金具２に共締めすることができるため、一個の取付ボルト６で防護柵１０に視線誘導標５を取着することができ、また、横ビーム３が受け部２２で受けられているため、取付ボルト６を緩めすぎた場合でも、横ビーム３が脱落することがなく、取付ボルト６締付け時に横ビーム３の自重がかかってこないため、容易に且つ確実に取付ボルト６の締付を行うことができる。【選択図】        図１
2006274581.tif 000002
【特許請求の範囲】
【請求項１】
支柱に横ビームが継手金具を用いて固着され、前記継手金具に視線誘導標が取着されたことを特徴とする防護柵。
【請求項２】
継手金具は、支柱の側面に取付けられる支持具の受け部に横ビームが支持されると共に、前記受け部と横ビームとに取付ボルトが締着されたものであって、前記取付ボルトに視線誘導標が取着されたことを特徴とする請求項１記載の防護柵。
【請求項３】
継手金具は、支柱の側面に取付けられる支持具の受け部に横ビームが支持されると共に、前記受け部と横ビームとに取付ボルトが締着されたものであって、前記支持具の両側端面を、視線誘導標の下方に間隔を開けて垂下された二個の支持片が挟着することにより、継手金具に視線誘導標が取着されたことを特徴とする請求項１記載の防護柵。
【発明の詳細な説明】
【技術分野】
【０００１】
本発明は、道路等に設置され、夜間における視認性の向上を図るための視線誘導標が取着された防護柵に関するものである。
【背景技術】
【０００２】
従来、視線誘導標が取着された防護柵については、例えば特許文献１に開示されている如く、視線誘導標等の標識の支柱を保持する標識支柱緊締具と、防護柵支柱を挟着する柵支柱緊締具とを有する取付具であって、標識支柱緊締具は開環状のバンドとなされ、その開口縁に突片が相対向して外方に延設され、柵支柱緊締具は両端部に締付片を有する一対の半円状バンドとなされており、防護柵支柱を挟着した柵支柱緊締具の一端締付片がボルトにより締付固定されると共に、他端締付片が標識支柱を挟着した標識支柱緊締具の突片を挟着するようにしてボルトにより締付固定されるようになされた取付具を用いて、視線誘導標を防護柵に取着している。
【０００３】
【特許文献１】実開昭６１−８９００８号公報
【発明の開示】
【発明が解決しようとする課題】
【０００４】
しかしながら、上述の如き取付具を用いて、視線誘導標を取着した防護柵においては、視線誘導標の支柱を標識支柱緊締具によりボルトで締付けると同時に、柵支柱緊締具を柵支柱にボルトを用いて挟着し締付固定するようになされているため、複数のボルトを用いて施工する必要があり、施工に時間を要する懸念があった。
【０００５】
本発明は上記課題を解決するためになされたものであり、容易に視線誘導標を取着することができる防護柵を提供せんとするものである。
【課題を解決するための手段】
【０００６】
上記目的を達成するために、本発明は次のような構成としている。すなわち、本発明に係る防護柵は、支柱に横ビームが継手金具を用いて固着され、前記継手金具に視線誘導標が取着されたことを特徴とするものである。
【０００７】
また、前記継手金具は、支柱の側面に取付けられる支持具の受け部に横ビームが支持されると共に、前記受け部と横ビームとに取付ボルトが締着されたものであって、前記取付ボルトに視線誘導標が取着されるようにしてもよい。
【０００８】
また、前記継手金具は、支柱の側面に取付けられる支持具の受け部に横ビームが支持されると共に、前記受け部と横ビームとに取付ボルトが締着されたものであって、前記支持具の両側端面を、視線誘導標の下方に間隔を開けて垂下された二個の支持片が挟着することにより、継手金具に視線誘導標が取着されていてもよい。
【発明の効果】
【０００９】
本発明によれば、支柱に横ビームが継手金具を用いて固着され、前記継手金具に視線誘導標が取着されるようにすれば、視線誘導標を防護柵に簡便に取着することができる。
【００１０】
また、前記継手金具は、支柱の側面に取付けられる支持具の受け部に横ビームが支持されると共に、前記受け部と横ビームとに取付ボルトが締着されたものであって、前記取付ボルトに視線誘導標を取着するようにすれば、取付ボルトにより、視線誘導標を継手金具に共締めすることができるため、一個の取付ボルトで防護柵に視線誘導標を取着することができ、また、横ビームが受け部で受けられているため、取付ボルトを緩めすぎた場合でも、横ビームが脱落することがなく、取付ボルト締付け時に横ビームの自重がかかってこないため、容易に且つ確実に取付ボルトの締付を行うことができる。
【００１１】
また、前記継手金具は、支柱の側面に取付けられる支持具の受け部に横ビームが支持されると共に、前記受け部と横ビームとに取付ボルトが締着されたものであって、前記支持具の両側端面を、視線誘導標の下方に間隔を開けて垂下された二個の支持片が挟着することにより、継手金具に視線誘導標を取着するようにすれば、他部材を用いることなく、継手金具に視線誘導標を取着することができ、好ましい。
【発明を実施するための最良の形態】
【００１２】
本発明に係わる実施の形態について、図面に基づき以下に具体的に説明する。
図１は、本発明に係る防護柵の実施の一形態を示す説明図である。
【００１３】
１０は道路等に設置される防護柵であって、１は地面に一定の間隔をおいて立設された支柱、２は支柱１の側面に取付けられた継手金具、３は継手金具２を構成する支持具２１の受け部２２に架設された横ビーム、４は受け部２２と横ビーム３に締着された取付ボルトである。これらは、防護柵１０に必要な所定の強度を満足するよう、金属材料で形成されている。
【００１４】
５は防護柵１０に取着された視線誘導標であり、車両のヘッドライト等の光を反射する反射体５１を有する。また、６は視線誘導標５を防護柵に取着する取付部材である。反射体５１としては、入射された光を高い効率で再帰反射できるレンズ反射体が好適に用いられるが、特に限定されたものではなく、多数の反射素子群を形成し、その反射素子群の裏面にアルミニウムのような金属の薄膜を金属蒸着法等により積層して反射性能を高めたプリズム状のものや、ガラスビーズやプリズム反射体を表面に配置した反射シート、合成樹脂製のシートにガラスビーズを埋設したもの等を適宜用いることができる。
【００１５】
取付部材６は下部が継手金具２に沿うようＲ状に曲げられ、断面が略Ｊ型になされており、下縁中央部から上方に向けて、取付ボルト４のボルト径よりやや大きな幅で切欠かれている。この取付部材６の切欠部に取付ボルト４を挿通し、取付部材６と受け部２２と横ビーム３とを取付ボルト４とナット４１を用いて共締めすることで、防護柵１０に視線誘導標５が取着される。また、取付部材６の上部は、垂直軸を有し、その垂直軸を中心に回動するヒンジ構造となされており、そこに反射体５１が取着されている。更に、垂直軸は割りピン構造となされ、且つヒンジが上下方向に可動となされているため、反射体５１の高さを調整することができ、垂直軸の割りピンにネジ等を螺入することで、視線誘導標５を固定するようになされている。これにより、横ビーム３の径が異なる種類の防護柵１０であっても、視線誘導標５の高さを調整し、横ビーム３に視線誘導標５が干渉することなく取着することができる。
【００１６】
図２は、図１に示す実施形態の変形実施例を示す説明図である。取付部材６の切欠部の上部を、水平方向に軸６１を有し、その中央部にバネ６２を設けたヒンジ構造６３となし、取付部材６の下部のＲ状に曲げられた内側にバネの力が働くようにしておけば、横ビーム３の径が異なる種類の防護柵１０に対して、同一の取付部材６を用いて視線誘導標５を横ビーム３の曲面に沿って取着することができ、好ましい。
【００１７】
図３は、本発明に係る防護柵の別の実施形態を示す説明図である。防護柵１０と視線誘導標５とは図１と同様の構成である。
７は視線誘導標５が取付けられている平坦部であり、８は、平坦部７から間隔を開けて垂下され、更にその下方が内向きに曲折された相対向する二個の支持片である。平坦部７は支持具２１の幅より若干大きくなされており、支持片８は支持具２１の高さより若干高くなされている。また、支持片８はバネ効果を有する材料、例えばバネ鋼で形成されている。
【００１８】
視線誘導標５を防護柵１０に取着する時には、支持片８を外向きに広げる外力を加え、支持具２１に平坦部７を載置し、支持片８に加えた外力を開放すると、支持片８が有するバネ効果により支持片８は元の位置に戻ることで、支持具２１の両側端面を支持片８で挟持し、視線誘導標５は防護柵１０に固定される。
また、平坦部７と支持片８の接続部を水平方向に軸を有するバネ付きのヒンジ構造とし、常時支持片８の内向きにバネの力が働くようになしておいても、上述の視線誘導標５の取着方法と同様、防護柵１０に取着することができる。
【図面の簡単な説明】
【００１９】
【図１】本発明に係る防護柵の実施の一形態を示す説明図である。
【図２】図１に示す防護柵の変形実施例を示す説明図である。
【図３】本発明に係る防護柵の別の実施形態を示す説明図である。
【符号の説明】
【００２０】
１０    防護柵
１      支柱
２      継手金具
２１    支持具
２２    受け部
３      横ビーム
４      取付ボルト
５      視線誘導標
５１    反射体
６      取付部材
７      平坦部
８      支持片
【図１】
2006274581.tif 000003
【図２】
2006274581.tif 000004
【図３】
2006274581.tif 000005